(57)【要約】      （修正有）【課題】顧客が複数のポイントカードを携帯するという煩わしさを解消させ、ポイントカードを特定する必要を無くし、利便性を向上させたポイント追加共通カード、単一のポイント追加共通カード、カード読み取り装置、ポイント追加共通装置、プログラム及びポイント追加共通方法を提供する。【解決手段】ポイントカード００１は通常、店舗にて用いられているポイントカードで、ポイント追加共通カード００２は顧客が設定した記号に対応するポイント口座情報が記録されている。この情報は、ポイントカード００１のポイント口座と結び付けられており，ポイント追加共通カード００２のポイント口座情報でポイント口座を特定できるよう予め顧客と店舗の間での取り決めに基づいて定められている。結び付けを示すデータは、予めこの取り決めに基づいて設定され、ポイント追加共通装置００６に保存されている。【選択図】図１
2020080131.tif 000002
【特許請求の範囲】
【請求項１】
ポイントカードとは別のカードであって、前記ポイントカードのポイント口座と結び付けられたポイント口座情報を有していることを特徴とするポイント追加共通カード。
【請求項２】
異なるポイントシステムの同一人のポイントカードのポイント口座とそれぞれ結び付けられた前記ポイントカードとは別のカードであることを特徴とする単一のポイント追加共通カード。
【請求項３】
ポイントカードとは別のポイント追加共通カードが有する前記ポイントカードのポイント口座と結び付けられたポイント口座情報を読み取ることを特徴とするポイント追加共通カード読み取り装置。
【請求項４】
ポイントカードとは別のポイント追加共通カードが有する前記ポイントカードのポイント口座と結び付けられたポイント口座情報を読み取るポイント追加共通カード読み取り装置と、この情報によりポイントを前記ポイント口座に追加する処理手段を有することを特徴とするポイント追加共通装置。
【請求項５】
ポイントカードとは別のポイント追加共通カードが有する前記ポイントカードのポイント口座と結び付けられたポイント口座情報を受け取り、このポイント口座情報に対応する前記ポイント口座を特定し、前記ポイント口座にポイントを追加することを特徴とするポイント追加共通処理プログラム。
【請求項６】
異なるポイントシステムの店舗で、それぞれのポイントシステムのポイントカードとは別の単一のポイント追加共通カードが有するポイント口座情報であって、前記それぞれのポイントカードのポイント口座と結び付けられたポイント口座情報をポイント追加共通カードから読み取る工程と、それぞれの前記ポイント口座にポイントを追加する工程とを有することを特徴とするポイント追加共通方法。
【請求項７】
ポイントカードとそのポイントカードとは別の複数のポイント追加共通カードが有する同一のポイント口座情報であって、前記ポイントカードのポイント口座と結び付けられたポイント口座情報をポイント追加共通カードから読み取る工程と、前記ポイント口座にポイントを追加する工程とを有することを特徴とする同一ポイント口座情報を利用したポイント追加方法。
【発明の詳細な説明】
【技術分野】
【０００１】  この発明は、ポイントカードとは別のカードであって、前記ポイントカードの口座を示す口座情報を有しているポイント追加共通カード、前記ポイント追加共通カードを用いた単一のポイント追加共通カード、前記ポイント追加共通カードを用いたポイント追加共通カード読み取り装置、前記ポイント追加共通カードを用いたポイント追加共通装置、前記ポイント追加共通カードを用いたポイント追加共通処理プログラム、前記ポイント追加共通カードを用いたポイント追加共通方法、及び前記ポイント追加共通カードを用いた同一ポイント口座情報を利用したポイント追加方法に関する。
【背景技術】
【０００２】  近年、多くの店舗においては、顧客が利用したサービスに応じてポイントを与えるポイントカードシステムが使われている。【０００３】  しかし、顧客にとってはそれぞれの店舗に応じた多くのカードを携帯しなければならないという煩わしさがあった。【０００４】  これに対して、共通のポイントカードを利用する技術が開示されている。
【先行技術文献】
【特許文献】
【０００５】
【特許文献１】特開２００８−３１０４３０号公報
【発明の概要】
【発明が解決しようとする課題】
【０００６】  特許文献１に、ポイント処理方法、ポイント処理プログラム、およびポイント処理装置が開示されているが、この技術は、ポイントカードを特定しなければならないという問題点があった。【０００７】  この発明は、上述した従来技術による問題点を解決するため、複数のポイントカードを所有する顧客に対し、ポイントを追加する際に複数のポイントカードを携帯するという煩わしさを解消させるとともに、ポイントカードを特定する必要を無くし、それぞれの店舗に応じたポイントカードシステムの顧客のポイント口座（それぞれの顧客の増減するポイントの数を記憶する記憶装置の一部分を利用した銀行口座と同様の口座）を利用することにより利便性を向上させたポイント追加共通カード、単一のポイント追加共通カード、ポイント追加共通カード読み取り装置、ポイント追加共通装置、ポイント追加共通処理プログラム、ポイント追加共通方法、及び同一ポイント口座情報を利用したポイント追加方法を提供することを目的とする。
【課題を解決するための手段】
【０００８】  上述した課題を解決し、目的を達成するため、この発明にかかるポイント追加共通カードは、ポイントカードとは別のカードであって、前記ポイントカードのポイント口座と結び付けられたポイント口座情報を有していることを特徴とする。【０００９】  また、この発明にかかる単一のポイント追加共通カードは、異なるポイントシステムの同一人のポイントカードのポイント口座とそれぞれ結び付けられた前記ポイントカードとは別のカードであることを特徴とする【００１０】  また、この発明にかかるポイント追加共通カード読み取り装置は、ポイントカードとは別のポイント追加共通カードが有する前記ポイントカードのポイント口座と結び付けられたポイント口座情報を読み取ることを特徴とする。【００１１】  また、この発明にかかるポイント追加共通装置は、ポイントカードとは別のポイント追加共通カードが有する前記ポイントカードのポイント口座と結び付けられたポイント口座情報を読み取るポイント追加共通カード読み取り装置と、この情報によりポイントを前記ポイント口座に追加する処理手段を有することを特徴とする。【００１２】  また、この発明にかかるポイント追加共通処理プログラムは、ポイントカードとは別のポイント追加共通カードが有する前記ポイントカードのポイント口座と結び付けられたポイント口座情報を受け取り、このポイント口座情報に対応する前記ポイント口座を特定し、前記ポイント口座にポイントを追加することを特徴とする。【００１３】  また、この発明にかかるポイント追加共通方法は、異なるポイントシステムの店舗で、それぞれのポイントシステムのポイントカードとは別の単一のポイント追加共通カードが有するポイント口座情報であって、前記それぞれのポイントカードのポイント口座と結び付けられたポイント口座情報をポイント追加共通カードから読み取る工程と、それぞれの前記ポイント口座にポイントを追加する工程とを有することを特徴とする。【００１４】  また、この発明にかかる同一ポイント口座情報を利用したポイント追加方法は、ポイントカードとそのポイントカードとは別の複数のポイント追加共通カードが有する同一のポイント口座情報であって、前記ポイントカードのポイント口座と結び付けられたポイント口座情報をポイント追加共通カードから読み取る工程と、前記ポイント口座にポイントを追加する工程とを有することを特徴とする。
【発明の効果】
【００１５】  本発明によれば、複数の店舗のポイントカードを所有する顧客に対し、ポイントを追加する際に、複数のポイントカードを携帯するという煩わしさを解消するため、ポイントカードの利便性を向上することができる。【００１６】  また、同一の店舗であっても、複数のポイント追加共通カードを用いることによって、効率良くポイントを貯めることができる。
【図面の簡単な説明】
【００１７】
【図１】  本発明にかかるポイント追加共通カード、ポイント追加共通カード読み取り装置、ポイント追加共通装置、ポイント追加共通方法、および同一ポイント口座情報を利用したポイント追加方法の概要を示す説明図である。
【発明を実施するための形態】
【００１８】  以下に添付図面を参照して、この発明にかかるポイント追加共通カード、前記ポイント追加共通カードを用いた単一のポイント追加共通カード、前記ポイント追加共通カードを用いたポイント追加共通カード読み取り装置、前記ポイント追加共通カードを用いたポイント追加共通装置、前記ポイント追加共通カードを用いたポイント追加共通処理プログラム、前記ポイント追加共通カードを用いたポイント追加共通方法、及び前記ポイント追加共通カードを用いた同一ポイント口座情報を利用したポイント追加方法を説明する。
【実施例】
【００１９】  （実施の形態１）
（ポイント追加共通カード）
まず、実施形態１にかかるポイント追加共通カードについて説明する。ポイント追加共通カードは、ポイントカードとは別のカードであって、ポイントカードのポイントを追加することができるカードである。【００２０】  図１にポイントカード００１とポイント追加共通カード００２を示す。図１において、００３は、ポイントカード読み取り装置、００４は、ポイント追加共通カード読み取り装置、００５は、処理装置、００６は、ポイント追加共通装置、００７は、別の処理装置を示す。ここで、ポイント追加共通００６は、ポイント追加共通カード読み取り装置００４及び処理手段００５を有している。【００２１】  ポイントカード００１は通常、店舗にて用いられているポイントカードである。店舗では、顧客の購入した商品やサービスに基づいてポイントを決定し、ポイントカード００１に記録された情報をポイントカード読み取り装置００３で読み取り、読み取られたポイントカード００１の情報に基づいて処理手段００５によって顧客ごとに設けられたポイント口座にこの決定されたポイントを追加する。このポイント口座は、グループ店舗共通の場合もある。顧客が自分のポイント口座に蓄積されたポイントを利用して商品やサービスの対価の一部又は全部を支払う場合には、ポイントカード００１を利用してこのポイント口座に蓄積されたポイントにより支払う。【００２２】  例えば、ある時、店舗Ａにて買い物をしてポイントが１０ポイント生じたら、顧客はポイントカード００１を会計時に提示して代金を支払うとこのポイントカード００１のポイント口座に１０ポイント、ポイントが追加され、蓄積される。【００２３】  また、別のある時、店舗Ａにて１０８円の商品を買って代金をたまったポイントで支払いたいのなら、ポイントカード００１のポイント口座に蓄積されたポイントから１０８ポイント（ここでは、１ポイントが１円に相当する。）が引かれ、代金を支払うことなく、商品を受け取ることができる。そして、ポイントカード００１のポイント口座に蓄積されていたポイントから１０８ポイントが引かれる。【００２４】  ポイント追加共通カード００２は、顧客が設定した記号に対応するポイント口座情報が記録されている。この情報は、ポイントカード００１のポイント口座と結び付けられており、ポイント追加共通カード００２のポイント口座情報でポイント口座を特定できるよう、予め、顧客と店舗の間での取り決めに基づいて定められている。結び付けを示すデータは、予めこの取り決めに基づいて設定され、ポイント追加共通装置００６に保存されている。ポイント追加共通カード００２のポイント口座情報は、例えば、顧客の携帯電話番号などを指定することにより、この指定された記号（携帯電話番号）をデータ化することでポイント追加共通カード００２に設定することができる。店舗は、この番号が、複数のポイントカード００１のポイント口座と結びつかないことを確認した上で、ポイント追加共通カード００２のポイント口座情報をポイントカード００１のポイント口座と結びつける。この結び付けにより、ポイントをポイント口座に蓄積する場合は、ポイントカード００１を用いても良く、ポイント追加共通カード００２を用いても蓄積することができる��しかし、この例では、ポイント口座に蓄積されたポイントを使う場合は、ポイントカード００１を用いることにより使用できるが、ポイント追加共通カード００２を使う事ができない。【００２５】  ここで、ポイント追加共通カード００２が複数のポイント口座と結びつかないようにする理由は、例えば、２つのポイント口座と結び付くと、ポイント追加共通カード００２を使用してポイントを追加する際に、この２つのポイント口座のどちらか（あるいは、ポイントを分けて、両方のポイント口座）に決める煩わしさが生じるからであるが、その煩わしさをいとわなければ、ポイント追加共通カード００２を複数のポイント口座と結び付けても良い。【００２６】  なお、ポイント追加共通カード００２のポイント口座情報は、例えば、顧客の携帯電話番号、電話番号などを指定することにより設定することができるので、セキュリティ上、ポイントカード００１に記録されたものとは異なることが望ましい。【００２７】  また、顧客の電話番号、携帯電話番号などは、第三者に知られてしまうので、セキュリティ上、ポイント追加共通カード００２のポイント口座情報では、ポイントが引き出せないようにすることが望ましい。【００２８】  もし、ある顧客の携帯電話番号を指定して、第三者が同一のポイント口座情報を有するポイント追加共通カードを作成させたとしても、ポイント追加共通カード００２のポイント口座情報ではポイントが引き出せないのであれば、この顧客のポイントをこの第三者に引き出され、使用される恐れは無い。ポイントを追加する場合は、この第三者のポイントがこの顧客のポイントとして追加されるだけなので、この顧客が不利益を被ることはない。【００２９】  顧客のポイント追加共通カードとポイント口座を結びつける場合には、顧客のポイント追加共通カードは、一つだけのポイント口座に結び付けられるが、そのポイント口座は、別のポイント追加共通カードに結び付けられていても構わない。通常、顧客は、ポイントカードの情報と携帯電話番号等の記号を記載した申請書類を提出する。店舗は、その申請書に記載された記号が一つだけのポイント口座に結び付けられていること及びその記号が他のポイント追加共通カードに使われていないことを確認すればよく、もし、その記号が他のポイント追加共通カードに使われていれば、顧客に確認するようにする。【００３０】  上述の場合、スーパー、ドラッグストア、本屋等の店舗のポイントカードについて説明したが、ポイントカードは、クレジットカードなど、他にポイントが扱われるようなものであっても良い。【００３１】  （実施の形態２）
（単一のポイント追加共通カード）
例えば、ある時、ある顧客が店舗Ａにて買い物をしてポイントが１０ポイント生じたら、この顧客は店舗Ａのポイントカードを会計時に提示する代わりに、店舗Ａのポイントカードのポイント口座と予め結びつけられポイント追加共通カード００２を提示して代金を支払うと、店舗Ａのポイントカードのポイント口座に１０ポイント、店舗Ａのポイントが追加され、蓄積される。【００３２】  また、別の時に、この顧客がポイントシステムの異なる店舗Ｂにて買い物をしてポイントが２０ポイント生じたら、この顧客は店舗Ｂのポイントカードを会計時に提示する代わりに店舗Ａで提示したのと同一のポイント追加共通カード００２を提示して代金を支払うと、店舗Ｂのポイントカードのポイント口座に２０ポイント、店舗Ｂのポイントが追加され、蓄積される。【００３３】  このようにした場合、ポイント追加共通カード００２は、異なるポイントシステムの同一人のポイントカードのポイント口座とそれぞれ結び付けられた前記ポイントカードとは別の単一のポイント追加共通カードという事になる。【００３４】  （実施の形態３）
（ポイント追加共通カード読み取り装置）
ポイント追加共通カード読み取り装置００４は、ポイント追加共通カード００２のポイント口座情報を読み取ることができる装置である。ポイント追加共通カード読み取り装置００４に供えられたスリットにポイント追加共通カード００２を通してポイント追加共通カード００２のポイント口座情報を読み取るようにしても良いし、ポイント追加共通カード００２をポイント追加共通カード読み取り装置００４にかざして、磁気信号によってポイント追加共通カード００２ポイントの口座情報を読み取るように構成しても良い。【００３５】  ここで、ポイントカードの読み取り装置００３にポイント追加共通カード読み取り装置００４の機能を持たせるようにしても良い。【００３６】  ポイント追加共通カード読み取り装置００４、又は、処理装置００５に接続された別の装置に番号入力装置があり、顧客がポイント追加共通カードを忘れた場合であっても、番号入力装置を用いてポイント追加共通カードの記号を入力することによりポイントを追加することができるようにすれば好ましい。【００３７】  しかし、この場合には、入力に時間がかかるので、やはり、ポイント追加共通カードを常時携帯しておくことは望ましい。【００３８】  （実施の形態４）
（ポイント追加共通装置）
ポイント追加共通装置００６は、ポイント追加共通カード読み取り装置００４及び処理装置００５を有している。【００３９】  ポイント追加共通カード読み取り装置００４は、処理装置００５に有線または、
2020080131.tif 000003
処理装置００５又は別の処理装置００７は、通信手段、記憶手段、演算手段などの必要に応じた手段を有している。【００４０】  処理装置００５は、予め、顧客と店舗の間で取り決められた結び付けを示すデータを記憶している。処理装置００５は、ポイント追加共通カード読み取り装置００４から送られてきた信号を受け取り、このデータによって、ポイント追加共通カード００２のポイント口座情報と結びつけられたポイント口座を特定することができる。【００４１】  各店舗に設置された処理装置００５は、顧客のポイント口座を管理する。ここには、ポイント追加共通カード読み取り装置００４から送られてきたポイント口座情報を受け取る機能と、このポイント口座情報に対応するポイント口座を特定する機能と、このポイント口座に別途入力されたポイントを追加する機能とを有する。【００４２】  ここで、顧客のポイント追加共通カードとポイント口座を結びつける場合には、顧客のポイント追加共通カードは、一つだけのポイント口座に結び付けられるがあるが、そのポイント口座は、別のポイント追加共通カードに結び付けられていても構わない。通常、顧客は、ポイントカードの情報と携帯電話番号等の記号を記載した申請書類を提出する。その申請書に記載された記号が一つだけのポイント口座に結び付けられていること及びその記号が他のポイント追加共通カードに使われていないことを確認すればよい。【００４３】  ここで、ポイント追加共通カード読み取り装置００４から送られてきた信号を例えばクラウド上に設置されたサーバーを含む別の処理装置００７と連動するように構成しても良い。処理装置００７において、ポイント追加共通カード読み取り装置００４から送られてきた信号からポイント追加共通カード００２のポイント口座情報と結びつけられたポイント口座にポイントを蓄積することもできる。このようにすれば、グループ企業内の店舗間において、共通のポイント口座を有することができる。【００４４】  （実施の形態５）
（ポイント追加共通処理プログラム）
処理装置００５には次のサブプログラムが保存されている。▲１▼ポイントカードとは別のポイント追加共通カード００２が有するポイントカード００１のポイント口座と結び付けられたポイント口座情報を受け取るサブプログラムと、▲２▼このポイント口座情報に対応する前記ポイント口座を特定するサブプログラムと、▲３▼前記ポイント口座にポイントを追加するサブプログラムである。これらのサブプログラムは渾然一体となった形式で一体的にプログラムされても良い。【００４５】  ここで、▲１▼では、ポイント追加共通カード読み取り装置００４から送られてきた信号をプログラムの中に取り込むアルゴリズムが含まれている。▲２▼では、予めポイント追加共通カード００２とポイント口座とを結び付けるデータが処理装置００５のメモリーに記憶されており、このデータによってポイント口座を特定するアルゴリズムが含まれている。また、▲３▼では、▲２▼で特定されたポイント口座に別途入力されたポイントを追加し、これまでポイント口座に蓄積されたポイントに追加分を上乗せするアルゴリズムが含まれている。【００４６】  （実施の形態６）
（ポイント追加共通方法）
次に本発明のポイント口座にポイントを追加することを可能とすることを特徴とするポイント追加共通方法について説明する。【００４７】  顧客は店舗に依頼してポイントカードを作成する。店舗又はその店舗を含むグループ企業は、ポイントカード００１に対応したポイント口座を設け、そこにその顧客のポイントを蓄積し、蓄積されたポイントで買い物をするなどで使用することができるように設定する。【００４８】  ポイントカード００１とは別のポイント追加共通カード００２に顧客のポイント口座に結び付けられたポイント口座情報を設定する。この情報は、携帯電話番号のような番号に基づく情報でも良い。店舗は、このポイント口座情報に対応したポイントカードのポイント口座に結び付けるように管理する。この管理は処理装置００５又は別の処理装置００７で行う。【００４９】  顧客は、ポイントを追加する際、ポイントカード又は、ポイント追加共通カードで行う。ここでは、本発明のポイント追加共通方法に従って、ポイント追加共通カードで行う場合を説明する。【００５０】  店舗Ａでは、顧客の所有するポイント追加共通カード００２を用いてポイント追加共通カード読み取り装置によって、この顧客のポイント口座と結び付けられたポイント口座情報を読み取る。この顧客の購入に対応した店舗Ａのポイントをこのポイント口座に追加してポイントを蓄積する。【００５１】  顧客が店舗Ａとはポイントシステムの異なる店舗Ｂに行った場合、店舗Ｂでは、顧客の所有するポイント追加共通カード００２を用いてポイント追加共通カード読み取り装置によって、この顧客のポイント口座と結び付けられたポイント口座情報を読み取る。この顧客の購入に対応した店舗Ｂのポイントをこのポイント口座に追加してポイントを蓄積する。【００５２】  このようにして、ポイントシステムの異なる店舗Ａと店舗Ｂにおいてそれぞれのポイント口座に同一のポイント追加共通カード００２によってそれぞれのポイントを追加することができる。【００５３】  具体的に説明すれば、ドラッグストア関係の店舗Ａでポイント追加共通カード００２を用いてポイントを追加することができるように、書籍関係の店舗Ｂでもポイント追加共通カード００２を用いてポイントを追加することができるようにすることができる。ドラッグストア関係の店舗Ａで、店舗Ａのポイントカードとポイント追加共通カード００２とを結び付け、店舗Ａとは別でグループも異なる店舗Ｂでも別に店舗Ｂのポイントカードとポイント追加共通カード００２とを結び付けておけば、ポイント追加共通カード００２で、店舗Ａでも店舗Ｂでもそれぞれのポイントカードシステムと独立してポイントを蓄積することができる。【００５４】  ポイントを利用する場合には、それぞれの店舗のポイントカードを利用してポイントを利用すればよい。【００５５】  通常、ポイントカードはポイントを貯める場合に用いることが殆どなので、ポイント追加共通カード００２さえ持参しておけば、店舗Ａでも店舗Ｂでも用が足りる。しかし、ポイントを使う場合にはそれぞれの店舗のポイントカードを持参する。【００５６】  このように、異なるポイントシステムの店舗で、それぞれのポイントシステムのポイントカードとは別の単一のポイン���追加共通カードが有するポイント口座情報であって、前記それぞれのポイントカードのポイント口座と結び付けられたポイント口座情報をポイント追加共通カードから読み取る工程と、それぞれの前記ポイント口座にポイントを追加する工程とを有することにより、それぞれのポイントカードシステムと独立してポイントを蓄積することができる。【００５７】  もし、ポイントカードと単一のポイント追加共通カードが同一人のカードである場合は、実施態様は、異なるポイントシステムの店舗で、それぞれのポイントシステムのポイントカードとこれらとは別の単一のポイント追加共通カードが同一人のカードであり、前記単一のポイント追加共通カードが有するポイント口座情報であって、前記それぞれのポイントカードのポイント口座と結び付けられたポイント口座情報をポイント追加共通カードから読み取る工程と、それぞれの前記ポイント口座にポイントを追加する工程と、を有することを特徴とするポイント追加共通方法となる。【００５８】  この実施態様で、ポイント追加共通カード００２のポイント口座情報は、この同一人の携帯電話番号を指定することにより、この指定された記号（携帯電話番号）をデータ化することでポイント追加共通カード００２に設定することができる。【００５９】  なお、上述したケースでは、ポイント口座情報は、顧客のポイントカードのポイント口座に結び付けられていたが、結び付ける先のポイント口座は、必ずしも顧客自身のポイントカードのポイント口座に結び付けなくともよい。例えば、顧客の夫又は妻のポイントカードのポイント口座に結び付けても良い。【００６０】  （実施の形態７）
（同一ポイント口座情報を利用したポイント追加方法）
もし、ドラッグストア関係の店舗Ａで、妻が化粧品を多く使うが、その夫はほとんど店舗Ａを利用しないような場合、妻のポイントカードのポイント口座に妻のポイント追加共通カードのポイント口座情報を結びつけるとともに、その夫も妻のポイントカードのポイント口座にその夫のポイント追加共通カードのポイント口座情報を結びつけるようにすれば、たまにしか店舗Ａで商品を購入することのない夫でも購入の際、妻のポイントカードのポイント口座に一緒にポイントがたまるので、無駄なくポイントを蓄積することができる。【００６１】  例えば、妻の場合、妻の携帯電話番号に基づいてポイント追加共通カードのポイント口座情報を決めて妻のポイントカードのポイント口座に結び付け、夫の場合、夫の携帯電話番号に基づいてポイント追加共通カードのポイント口座情報を決めて妻のポイントカードのポイント口座に結び付ければよい。【００６２】    つまり、ポイントカードとそのポイントカードとは別の複数のポイント追加共通カードが有する同一のポイント口座情報であって、前記ポイントカードのポイント口座と結び付けられたポイント口座情報をポイント追加共通カードから読み取る工程と、それぞれの前記ポイント口座にポイントを追加する工程とを有することにより、同一のポイント口座にポイントを蓄積することができる。
【産業上の利用可能性】
【００６３】  以上のように、本発明にかかるポイント追加共通カード、単一のポイント追加共通カード、ポイント追加共通カード読み取り装置、ポイント追加共通処理プログラム、ポイント追加共通装置、およびポイント共通追加方法は、ポイントカードがかさばることを理由にポイントカードを潜在化させてしまっていた顧客によるポイントの有効利用を促進し、売り上げ向上を図ることが可能なサービスとして有用である。
【符号の説明】
【００６４】００１  ポイントカード
００２  ポイント追加共通カード
００３  ポイントカード読み取り装置
００４  ポイント追加共通カード読み取り装置
００５  処理装置
００６  ポイント追加共通装置
００７  別の処理装置
【図１】
2020080131.tif 000004